(57)【要約】  スーパーキャパシタの充電のための監視システムは、３つの部分、すなわち、電力線、複数の単一スーパーキャパシタ監視サブシステム、マスタ監視システム、を含み、マスタ監視システムは、充電回路（２）、電源部（７）、マスタ単一チップマイクロコンピュータ（４）、搬送波通信モジュール（３）、マンマシンインタフェース・モジュール（５）、記憶部（６）、ＲＳ−２３２モジュール（８）、を含み、各々の単一スーパーキャパシタ監視サブシステムは、単一スーパーキャパシタ（１）、電源部（７）、スレーブ単一チップマイクロコンピュータ（１１）、搬送波通信モジュール（３）、電圧電流及び温度の検出部（９）、記憶部（６）、を含む。マスタ監視システムは、電力線及び充電回路を介してスーパーキャパシタ群を充電する。監視システムは、様々な単一スーパーキャパシタの充電状態を制御することが出来、それにより、過充電現象の発生を回避する。
2016528867.tif 000002
【特許請求の範囲】
【請求項１】
電力線と、単一スーパーキャパシタ監視サブシステムと、メイン監視システムと、を含むスーパーキャパシタの充電監視システムであって、
前記メイン監視システムは、前記監視サブシステムから送信されるデータを受信し、電源部と、マスタ単一チップマイクロコンピュータと、搬送波通信モジュールＰＬ２１０２と、マンマシンインタフェースモジュールと、記憶部と、ＲＳ−２３２モジュールと、充電回路と、を含み、
前記電源部は、前記マスタ単一チップマイクロコンピュータに電力を供給し、前記マスタ単一チップマイクロコンピュータは、前記搬送波通信モジュールＰＬ２１０２に接続しており、媒体として機能する電力線を介した前記単一スーパーキャパシタ監視サブシステムと前記メイン監視システムとの間の通信を実施するために電力線搬送波を利用し、
前記マスタ単一チップマイクロコンピュータは、警報及び表示を達成するために前記マンマシンインタフェースモジュールに接続しており、
前記マスタ単一チップマイクロコンピュータは、前記記憶部に接続しており、前記ＲＳ−２３２モジュールのシリアルポートを介してコンピュータに接続しており、
前記マスタ単一チップマイクロコンピュータは、前記充電回路に接続しており、充電状態に応じて適切な電流を出力するために前記充電回路を制御し、
前記メイン監視システムの前記マスタ単一チップマイクロコンピュータは、送信状態にある前記単一スーパーキャパシタ監視サブシステムから送信されるデータを受信し、前記メイン監視システムが受信状態にある場合、ＤＣ電力線の拡散スペクトル信号は、結合トランスを介して受信周波数選択性回路網を経由して復調のために前記搬送波通信モジュールＰＬ２１０２に送信され、前記単一チップマイクロコンピュータのデジタルシグナルプロセッサに入力され、
単一スーパーキャパシタの充電状態が異常である場合、前記メイン監視システムは、エラー命令を提供し、警報信号を生成し、充電プロセスを停止し、前記単一スーパーキャパシタの対応するシリアル番号を前記マンマシンインタフェースに表示し、
前記単一スーパーキャパシタ監視サブシステムは、データ情報を取得し、前記単一スーパーキャパシタの充電状態（ＳＯＣ）を算出し該単一スーパーキャパシタの状態を判断するためにデータ操作および処理を実行し、前記メイン監視システムにデータを選択的に送信し、
前記単一スーパーキャパシタ監視サブシステムは、単一スーパーキャパシタと、電源部と、スレーブ単一チップマイクロコンピュータと、搬送波通信モジュールと、電圧と電流と温度とを検出するための装置と、記憶部と、を含み、
前記電源部は電源供給の役割を有しており、電圧と電流と温度の検出ための装置は前記スレーブ単一チップマイクロコンピュータに接続しており、前記スレーブ単一チップマイクロコンピュータは、各ポートを介して途切れずに送信される電圧と電流と温度の情報を検出し、前記スーパーキャパシタのＳＯＣを算出し、
前記スレーブ単一チップマイクロコンピュータは、データを記憶し該データを前記メイン監視システムの前記マスタ単一チップマイクロコンピュータに送信するために前記記憶部に接続しており、前記単一スーパーキャパシタ監視サブシステムと前記メイン監視システムとの間のデータ伝送は、前記搬送波通信モジュールＰＬ２１０２を介して前記電力線を経由して達成され、
前記メイン監視システムは、前記電力線と前記充電回路とを介してスーパーキャパシタ・バンクを充電し、前記電力線は、通信媒体としても機能し、
前記メイン監視システムと前記単一スーパーキャパシタ監視サブシステムとの間の通信は、前記搬送波通信モジュールを介して前記電力線を経由して達成され、
１つ以上の単一スーパーキャパシタ監視サブシステムが提供される一方で、１つのメイン監視システムが提供され、
各々の単一スーパーキャパシタ監視サブシステムは、固有アドレスを有し、前記スレーブ単一チップマイクロコンピュータで決定されるシリアル番号を有する
ことを特徴とするスーパーキャパシタの充電監視システム。
【発明の詳細な説明】
【技術分野】
【０００１】
本発明は、充電監視システム、特に、スーパーキャパシタ充電のメイン監視システムに関するものである。
【背景技術】
【０００２】
スーパーキャパシタは、高い電気エネルギー蓄積能力を有し高いインパルス電力を提供することが出来る物理的な２次電源であり、高い信頼性、有利な低温特性、環境フレンドリ、汚染フリーを含む利点を有する。スーパーキャパシタは、新規なエネルギー蓄積システムであり既存のバッテリの不十分な充電電力の課題を解決する効果的な方法であり、様々な産業（例えば、新規エネルギー車両、電気、エレベータ、炭鉱および工学機械工業）において広く適用される。
【０００３】
電力線搬送通信は、搬送波信号の伝送媒体として電力送信線を使用する電気システム通信アプローチである。電力送信線は強い構造支持材を有しており、電力送信線を介して電源電流とともに搬送波信号を送信することは経済的であり信頼性も高い。
【０００４】
現時点では、バッテリ管理システムは、バッテリ電源システムの個々のバッテリのキャパシタ状態情報を監視するために、主にマスター／スレーブ設計となっている。マスタ制御システムは、多数のモジュールから個々のバッテリの状態情報を収集する役割を担っており、状態情報を分析する。しかしながら、直列スーパーキャパシタの充電プロセスは「キャスク原理」に従っており、故障の破壊点は、通常は単一のコンデンサで発生する。集中型の監視アプローチの使用は、結果として効率の劣化やシステム負荷の増大をもたらし得る。
【０００５】
それ故、本発明は、分散された意思決定に基づく監視戦略を提唱し、電力線搬送をデータ通信のために利用することにより、監視システムの運用効率が改善され、充電の信頼性が確実にされ、通信ネットワークの負荷は同様に軽減される。
【発明の概要】
【０００６】
本発明の目的は、電力線搬送波通信、マイクロコンピュータ制御技術、電圧・温度の検出技術を組み込んだスーパーキャパシタ充電のメイン監視システムを提供することにあり、新規エネルギー車両および工学機械分野において適用され得、エネルギーの無駄および環境汚染ののような従来の充電アプローチにおける課題を解決する。
【０００７】
本発明の目的は、以下の技術的方式によって達成される：
監視システムは、電力線と、単一スーパーキャパシタ監視サブシステムと、メイン監視システムと、を含む。
前記メイン監視システムは、前記監視サブシステムから送信されるデータを受信し、電源部と、マスタ単一チップマイクロコンピュータと、搬送波通信モジュールＰＬ２１０２と、マンマシンインタフェースモジュールと、記憶部と、ＲＳ−２３２モジュールと、充電回路と、を含み；
前記電源部は、前記マスタ単一チップマイクロコンピュータに電力を供給し、前記マスタ単一チップマイクロコンピュータは、前記搬送波通信モジュールＰＬ２１０２に接続しており、媒体として機能する電力線を介した前記単一スーパーキャパシタ監視サブシステムと前記メイン監視システムとの間の通信を実施するために電力線搬送波を利用し；
前記マスタ単一チップマイクロコンピュータは、警報及び表示を達成するために前記マンマシンインタフェースモジュールに接続しており；
前記マスタ単一チップマイクロコンピュータは、前記記憶部に接続しており、前記ＲＳ−２３２モジュールのシリアルポートを介してコンピュータに接続しており；
前記マスタ単一チップマイクロコンピュータは、前記充電回路に接続しており、充電状態に応じて適切な電流を出力するために前記充電回路を制御し；
前記メイン監視システムの前記マスタ単一チップマイクロコンピュータは、送信状態にある前記単一スーパーキャパシタ監視サブシステムから送信されるデータを受信し、前記メイン監視システムが受信状態にある場合、ＤＣ電力線の拡散スペクトル信号は、結合トランスを介して受信周波数選択性回路網を経由して復調のために前記搬送波通信モジュールＰＬ２１０２に送信され、前記単一チップマイクロコンピュータのデジタルシグナルプロセッサに入力され；
単一スーパーキャパシタの充電状態が異常である場合、前記メイン監視システムは、エラー命令を提供し、警報信号を生成し、充電プロセスを停止し、前記単一スーパーキャパシタの対応するシリアル番号を前記マンマシンインタフェースに表示する。
前記単一スーパーキャパシタ監視サブシステムは、データ情報を取得し、前記スーパーキャパシタの充電状態を算出し該単一スーパーキャパシタの状態を判断するためにデータ操作および処理を実行し、前記メイン監視システムにデータを選択的に送信する。
前記単一スーパーキャパシタ監視サブシステムは、単一スーパーキャパシタと、電源部と、スレーブ単一チップマイクロコンピュータと、搬送波通信モジュールと、電圧と電流と温度とを検出するための装置と、記憶部と、を含み；
前記電源部は電源供給の役割を有しており、電圧と電流と温度の検出ための装置は前記スレーブ単一チップマイクロコンピュータに接続しており、前記スレーブ単一チップマイクロコンピュータは、各ポートを介して途切れずに送信される電圧と電流と温度の情報を検出し、前記スーパーキャパシタの充電状態を算出し；
前記スレーブ単一チップマイクロコンピュータは、データを記憶し該データを前記メイン監視システムの前記マスタ単一チップマイクロコンピュータに送信するために前記記憶部に接続しており、前記単一スーパーキャパシタ監視サブシステムと前記メイン監視システムとの間のデータ伝送は、前記搬送波通信モジュールＰＬ２１０２を介して前記電力線を経由して達成される。
前記メイン監視システムは、前記電力線と前記充電回路とを介してスーパーキャパシタ・バンクを充電し、前記電力線は、通信媒体としても機能し；
前記メイン監視システムと前記単一スーパーキャパシタ監視サブシステムとの間の通信は、前記搬送波通信モジュールを介して前記電力線を経由して達成され；
１つ以上の単一スーパーキャパシタ監視サブシステムが提供される一方で、１つのメイン監視システムが提供され；
各々の単一スーパーキャパシタ監視サブシステムは、固有アドレスを有し、前記スレーブ単一チップマイクロコンピュータで決定されるシリアル番号を有する。
【０００８】
有益な効果：
上述の技術的方式を利用することにより、スーパーキャパシタの充電監視システムにおける単一スーパーキャパシタ監視サブシステムは、充電状態（ＳＯＣ）の値およびカルマンフィルタ・アルゴリズムによる変化率を算出するために得られたリアルタイムの電圧・電流・温度を利用し；単一スーパーキャパシタのＳＯＣが予め設定された閾値の範囲内にある場合、単一スーパーキャパシタ監視サブシステムは、特定データをメイン監視システムに送信せず；単一スーパーキャパシタのＳＯＣが予め設定された閾値の範囲外にある場合、スレーブ単一チップマイクロコンピュータは、カテゴリおよびレベルによってメイン監視システムのマスタ単一チップマイクロコンピュータにデータを送信し；サブシステムは、チャネルを獲得するために優先度ベースのＣＳＭＡ／ＣＡ戦略を利用し、アクセス権が得られたあと、搬送波通信モジュールＰＬ２１０２は、単一チップマイクロコンピュータＭＳＰ４３０から差動位相偏移変調（ＤＰＳＫ）による変調によって送信されたデジタル信号を処理してドライバ回路に信号を出力し；信号は、トランスを介してＤＣ電源線に結合される。
【０００９】
メイン監視システムのマスタ単一チップマイクロコンピュータは、送信データにある単一スーパーキャパシタ監視サブシステムから送信されたデータを受信し；メイン監視システムが受信状態にある場合、ＤＣ電源線の拡散スペクトル信号は、結合トランスを介して受信周波数選択性回路網を経由して復調のために搬送波通信モジュールＰＬ２１０２に送信され、単一チップマイクロコンピュータのＤＳＰに入力され；単一スーパーキャパシタの充電状態が異常である場合、メイン監視システムは、エラー命令を提供し、警報信号を生成し、充電プロセスを停止し、単一スーパーキャパシタの対応するシリアル番号をマンマシンインタフェースに表示する。
【００１０】
利点：
スーパーキャパシタは、省エネルギー、環境フレンドリ、信頼性、耐久性、その他を有しており、既存のバッテリの課題を解決する良好なアプローチである。直列のスーパーキャパシタ・バンクの充電プロセスにおいて、複数の単一スーパーキャパシタ間の少しの相違により過充電が容易に発生し得、それにより、スーパーキャパシタの運用寿命は悪影響を受け；監視システムは、スーパーキャパシタ・バンクの各々の単一スーパーキャパシタの充電状態をリアルタイムに支配し、過充電現象は回避される。
【図面の簡単な説明】
【００１１】
【図１】スーパーキャパシタ充電のメイン監視システムの概略構造図である。
【発明を実施するための形態】
【００１２】
実施形態１：
スーパーキャパシタの充電監視システムは、電力線と、単一スーパーキャパシタ監視サブシステムと、メイン監視システムと、を含み、メイン監視システムは、充電回路２と、搬送波通信モジュール３と、マスタ単一チップマイクロコンピュータ４と、マンマシンインタフェースモジュール５と、記憶部６と、電源部７と、ＲＳ−２３２モジュール８と、を含む。電源部は、マスタ単一チップマイクロコンピュータに電力を供給し、マスタ単一チップマイクロコンピュータは、搬送波通信モジュールＰＬ２１０２に接続しており、媒体として機能する電力線を介した単一スーパーキャパシタ監視サブシステムとメイン監視システムとの間の通信を実施するために電力線搬送波を利用し、マスタ単一チップマイクロコンピュータは、警報及び表示を達成するためにマンマシンインタフェースモジュールに接続しており、マスタ単一チップマイクロコンピュータは、記憶部に接続しており、ＲＳ−２３２のシリアルポートを介してコンピュータに接続しており、マスタ単一チップマイクロコンピュータは、充電回路に接続しており、充電状態に応じて適切な電流を出力するために充電回路を制御し、メイン監視システムのマスタ単一チップマイクロコンピュータは、送信状態にある単一スーパーキャパシタ監視サブシステムから送信されるデータを受信し、メイン監視システムが受信状態にある場合、ＤＣ電力線の拡散スペクトル信号は、結合トランスを介して受信周波数選択性回路網を経由して復調のために搬送波通信モジュールＰＬ２１０２に送信され、単一チップマイクロコンピュータのデジタルシグナルプロセッサに入力され、単一スーパーキャパシタの充電状態が異常である場合、メイン監視システムは、エラー命令を提供し、警報信号を生成し、充電プロセスを停止し、単一スーパーキャパシタの対応するシリアル番号をマンマシンインタフェースに表示する。記憶部６は、メモリモジュールである。単一チップマイクロコンピュータ内のデジタルシグナルプロセッサは、ＤＳＰと略記される。
【００１３】
単一スーパーキャパシタ監視サブシステムは、単一スーパーキャパシタ１と、電源部７と、スレーブ単一チップマイクロコンピュータ１１と、搬送波通信モジュール３と、電圧電流検出部９と、温度検出部１０と、記憶部６と、を含む。電力線は、単一スーパーキャパシタ監視サブシステムをメイン監視システムに接続する。電源部は電源供給の役割を有しており、電圧と電流と温度の検出ための装置はスレーブ単一チップマイクロコンピュータＭＳＰ４３０に接続しており、スレーブ単一チップマイクロコンピュータＭＳＰ４３０は、各ポートを介して途切れずに送信される電圧と電流と温度の情報を検出し、スーパーキャパシタの充電状態（ＳＯＣ）を算出し、スレーブ単一チップマイクロコンピュータＭＳＰ４３０は、データを記憶し該データをメイン監視システムのマスタ単一チップマイクロコンピュータに送信するために記憶部に接続しており、単一スーパーキャパシタ監視サブシステムとメイン監視システムとの間のデータ伝送は、搬送波通信モジュールＰＬ２１０２を介して電力線を経由して達成される。スーパーキャパシタの充電状態は、ＳＯＣと略記される。
【００１４】
メイン監視システムは、電力線と充電回路２とを介してスーパーキャパシタ・バンクを充電し、電力線は、通信媒体としても機能し、メイン監視システムと単一スーパーキャパシタ監視サブシステムとの間の通信は、搬送波通信モジュールを介して電力線を経由して達成され、１つ以上の単一スーパーキャパシタ監視サブシステムが提供される一方で、１つのメイン監視システムが提供され、各々の単一スーパーキャパシタ監視サブシステムは、固有アドレスを有し、スレーブ単一チップマイクロコンピュータで決定されるシリアル番号を有する。
【００１５】
メイン監視システムおよびスレーブ監視システムの双方は、電源部７からＤＣ電源を得、マスタ単一チップマイクロコンピュータおよびスレーブ単一チップマイクロコンピュータには３．３Ｖの電圧が供給され、搬送波通信モジュールには５Ｖの電圧が供給され、搬送波電力増幅回路には１２Ｖの電圧が供給される。
【００１６】
単一スーパーキャパシタ監視サブシステムにおいて、スレーブ単一チップマイクロコンピュータＭＳＰ４３０には、スーパーキャパシタのモデル及び仕様によっていくつかの警報閾値レベルが予め設定され、スーパーキャパシタの算出される充電状態（ＳＯＣ）の最大許容値は閾値１であり、算出されるＳＯＣ変化率の最大許容値は閾値２である。スーパーキャパシタの算出されるＳＯＣ変化率は、サンプリング間隔に対するスーパーキャパシタの隣接する算出されたＳＯＣ値の差異の比率として定義される。
【００１７】
単一スーパーキャパシタ監視サブシステムにおいて、温度検出部１０には、正確に実際の温度を測定することが可能な高精度の温度センサが使用され；電圧電流検出部９は、正確に電圧及び電流の値を測定するためにスーパーキャパシタの２つの端に接続されており；スレーブ単一チップマイクロコンピュータＭＳＰ４３０は、ポートから途切れずに送信される電圧、電流、温度の値を検出し、カルマンフィルタ・アルゴリズムを使用してスーパーキャパシタのＳＯＣおよびＳＯＣ変化率を算出する。
【００１８】
単一スーパーキャパシタのＳＯＣ値および変化率の両方が予め設定された閾値の範囲内にある場合、単一スーパーキャパシタ監視サブシステムは、１バイトのハンドシェーク情報を、１として定義される優先度でメイン監視システムに送信し、算出されたスーパーキャパシタのＳＯＣ値が閾値１の範囲内にあり、かつ、算出されたスーパーキャパシタのＳＯＣ変化率が閾値２の範囲外にある場合、単一スーパーキャパシタ監視サブシステムは、１バイトのハンドシェーク情報と２バイトのスーパーキャパシタのＳＯＣ変化率とを、２として定義される優先度でメイン監視システムに送信し、単一スーパーキャパシタのＳＯＣ変化率が閾値２の範囲内にあり、かつ、算出されたスーパーキャパシタのＳＯＣ値が閾値１の範囲外にある場合、単一スーパーキャパシタ監視サブシステムは、１バイトのハンドシェーク情報と２バイトの算出されたＳＯＣ値とを、３として定義される優先度でメイン監視システムに送信し、単一スーパーキャパシタのＳＯＣ値およびＳＯＣ変化率の両方が予め設定された閾値の範囲外にある場合、単一スーパーキャパシタ監視サブシステムは、１バイトのハンドシェーク情報と２バイトのＳＯＣ値と２バイトのＳＯＣ変化率とを、４として定義される優先度でメイン監視システムに送信する。
【００１９】
スレーブ単一チップマイクロコンピュータＭＳＰ４３０が送信状態にある場合、搬送波通信モジュールＰＬ２１０２は、単一チップマイクロコンピュータＭＳＰ４３０から送信されるデジタル信号をドライバ回路に出力して送信し、内部での差動位相偏移変調（ＤＰＳＫ）による変調の後、変調された信号を出力し、それから、信号は、トランスを介してＤＣ電源線に結合される。搬送波通信モジュールＰＬ２１０２の差動位相偏移変調は、ＤＰＳＫと略記される。
【００２０】
システムは、多数の監視サブシステムから並列したデータ送信要求を取扱うために、優先度ベースのＣＳＭＡ／ＣＡ戦略を使用する。スレーブ単一チップマイクロコンピュータがデータ送信の用意が出来た場合、まず、信号が通信線の周波数バンドに何らかの信号があるかどうかを検出し；信号がある場合、スレーブ単一チップマイクロコンピュータは、特定の時間だけ待機し、通信線がアイドル状態にあるか又は試行の最大許容数に達したことを発見するまで再度通信線を検出する。スレーブ単一チップマイクロコンピュータは、通信線がアイドル状態であることを発見した場合、データをマスタ単一チップマイクロコンピュータに送信し；スレーブ単一チップマイクロコンピュータは、試行の最大許容数に達したことを発見した場合、データの有効性を確実にするために、データを廃棄して、送信される新しいデータを選択し、上述の方法を繰り返す。待機時間はバックオフ時間として定義され、試行の最大許容数はバックオフの最大回数として定義される。このシステムにおいて、スレーブ単一チップマイクロコンピュータのバックオフ時間およびバックオフ最大回数は、送信されるデータの優先度に従って決定される。優先度が高いほど、バックオフ時間は短くなり、バックオフ最大回数は小さくなる。実際のアプリケーションにおいて、バックオフの特定のバックオフ時間および最大回数は、システム精度に対する要求条件及び複数の単一キャパシタのパラメータに従って決定される。
【００２１】
メイン監視システムのマスタ単一チップマイクロコンピュータの機能は、送信状態にある単一スーパーキャパシタ監視サブシステムから送信されるデータを受信することである。メイン監視システムが受信状態にある場合、ＤＣ電源線の拡散スペクトル信号は、結合トランスを介して受信周波数選択性回路網を経由して復調のために搬送波通信モジュールＰＬ２１０２に送信され、復調信号は単一チップマイクロコンピュータのＤＳＰに入力される。
【００２２】
メイン監視システムは、カテゴリによって監視サブシステムから受信した情報を表示し、オペレータに通知する。情報の優先度が２より高い場合、メイン監視システムは、直接充電プロセスを停止し、単一スーパーキャパシタの対応するシリアル番号をマンマシンインタフェースに表示する。
【００２３】
メイン監視システムおよび単一スーパーキャパシタ監視サブシステムの双方は、それぞれ記憶部６を含み、後でスーパーキャパシタのパフォーマンスが分析可能となるように、データを記憶し、ＲＳ−２３２モジュールのシリアルポートを介してデータをアップロードするように構成される。
【００２４】
マンマシンインタフェース５は、単一スーパーキャパシタの充電状態をリアルタイムに表示し、更新する。スーパーキャパシタに関連する重要な警報情報が発生した場合、マンマシンインターフェースは、警報表示器を点灯し、音声プロンプトを同時に提供する。
【符号の説明】
【００２５】
１  単一スーパーキャパシタ；
２  充電回路；
３  搬送波通信モジュール；
４  マスタ単一チップマイクロコンピュータ；
５  マンマシンインタフェースモジュール；
６  記憶部；
７  電源部；
８  ＲＳ−２３２モジュール；
９  電圧電流検出部；
１０  温度検出部；
１１  スレーブ単一チップマイクロコンピュータ
【図１】
2016528867.tif 000003
【国際調査報告】
2016528867.tif 000004
2016528867.tif 000005
2016528867.tif 000006
2016528867.tif 000007
2016528867.tif 000008
2016528867.tif 000009